【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
遊技機から排出された遊技媒体を回収するためのアウトタンクを備え、前記遊技機と、該遊技機に併設され遊技者に払い出された遊技媒体を計数するための計数装置とが設けられる遊技機設置島であって、
前記アウトタンクは、
前記遊技機から排出される遊技媒体を受け入れるとともに、第１受入部および該第１受入部に対して前記遊技機の前後方向に移動可能に設けられた第２受入部から構成され、遊技媒体の受入面積を拡縮可能な受入部と、
前記受入部とは別個に構成され、該受入部を支持する支持部と、
前記受入部にて受け入れられた遊技媒体を排出する排出部と、
前記排出部から排出される遊技媒体数を計数する計数手段と、
前記第１受入部に対して前記第２受入部を保持する位置保持手段と、
前記支持部に対して前記受入部を保持する受入部保持手段と、
を備え、
前記受入部保持手段は、前記位置保持手段の保持力よりも小さい保持力で前記支持部に対して前記受入部を保持する
ことを特徴とする遊技機設置島。
【手続補正２】
【補正対象書類名】明細書
【補正対象項目名】発明の名称
【補正方法】変更
【補正の内容】
【発明の名称】遊技機設置島
【手続補正３】
【補正対象書類名】明細書
【補正対象項目名】０００１
【補正方法】変更
【補正の内容】
【０００１】
本発明は、遊技機から排出された遊技媒体を回収するためのアウトタンクを備え、前記遊技機と、該遊技機に併設され遊技者に払い出された遊技媒体を計数するための計数装置とが設けられる遊技機設置島に関する。
【手続補正４】
【補正対象書類名】明細書
【補正対象項目名】００１０
【補正方法】変更
【補正の内容】
【００１０】
本発明は、このような問題点に着目してなされたもので、遊技機から排出される遊技媒体の一部のみが中途半端に計数されることがないようにしたアウトタンクを備える遊技機設置島を提供することを目的とする。
【手続補正５】
【補正対象書類名】明細書
【補正対象項目名】００１１
【補正方法】変更
【補正の内容】
【００１１】
前記課題を解決するために、本発明の請求項１に記載の遊技機設置島は、
遊技機（パチンコ遊技機２）から排出された遊技媒体（パチンコ球）を回収するためのアウトタンク（８）を備え、前記遊技機と、該遊技機に併設され遊技者に払い出された遊技媒体を計数するための計数装置とが設けられる遊技機設置島であって、
前記アウトタンクは、
前記遊技機から排出される遊技媒体を受け入れるとともに、第１受入部（ベースタンク８６１）および該第１受入部に対して前記遊技機の前後方向に移動可能に設けられた第２受入部（移動タンク８６２）から構成され、遊技媒体の受入面積を拡縮可能な受入部（図３４（ａ）に示す受入部８０１／図３４（ｂ）に示す受入部８０１、外部支持脚８４０、内部支持脚８５０）と、
前記受入部とは別個に構成され、該受入部を支持する支持部（図３４（ａ）に示す支持部８０２／図３４（ｂ）に示す取付ベース８３０）と、
前記受入部にて受け入れられた遊技媒体を排出する排出部（排出口８０３）と、
前記排出部から排出される遊技媒体数を計数する計数手段（球計数器８２６）と、
前記第１受入部に対して前記第２受入部を保持する位置保持手段（移動規制部８８８のラック８８８ａと案内板８９７のラック８９７ａ）と、
前記支持部に対して前記受入部を保持する受入部保持手段（内部支持脚８５０の係合部８５４とベースタンク８６１の案内部８６６、外部支持脚８４０の係合部８４３と取付ベース８３０の案内溝８３３）と、
を備え、
前記受入部保持手段は、前記位置保持手段の保持力（係合力）よりも小さい保持力（係合力）で前記支持部に対して前記受入部を保持する（図３４参照）
ことを特徴としている。
この特徴によれば、第２受入部に遊技機の配線が接触する等して何らかの外力が加わった場合、第１受入部に対する第２受入部の保持力よりも支持部に対する受入部の保持力の方が小さいことにより、第２受入部が第１受入部に対し相対移動するよりも先に支持部から受入部が外れてしまうので、遊技媒体を受け入れることができなくなる。これにより、遊技機から排出された遊技媒体が計数手段にて計数されなくなり、明らかに不具合が生じていることが分かるようになるため、不具合が生じた場合に早期のうちに対処することが可能となる。
【手続補正６】
【補正対象書類名】明細書
【補正対象項目名】００１２
【補正方法】変更
【補正の内容】
【００１２】
本発明の手段１の遊技機設置島は、請求項１に記載の遊技機設置島であって、
前記アウトタンクは、前記第２受入部（移動タンク８６２）の前後方向以外の方向への移動を規制する規制手段（第２側壁部６１１の隆起部６５０外面と第１側壁部７１１の内面、第１ガイド突起６５１ａ，６５１ｂと成型用穴７２５、第２ガイド突起６５２ａ，６５２ｂと成型用穴７２６）を備える
ことを特徴としている。
この特徴によれば、第１受入部に対して第２受入部が傾いたり外れたりしにくくなる。
【手続補正７】
【補正対象書類名】明細書
【補正対象項目名】００１３
【補正方法】変更
【補正の内容】
【００１３】
本発明の手段２の遊技機設置島は、請求項１または手段１に記載の遊技機設置島であって、
前記受入部（８０１）は、前記支持部（８０２、取付ベース８３０、外部支持脚８４０、内部支持脚８５０）に対して前記遊技機（パチンコ遊技機２）の前後方向に移動可能に設けられ、
前記アウトタンクは、前記支持部に対して前記受入部を保持する受入部位置保持手段（案内板８９７のラック８９７ａと移動規制部８５６のラック８５６ａ）を備える
ことを特徴としている。
この特徴によれば、受入部に遊技機の配線が接触する等して何らかの外力が加わった場合、該受入部が支持部に対して前方または後方に移動するだけで支持部から離脱することが防止される。また、第１受入部に対して第２受入部が外れることがないので、第１受入部と第２受入部との間から遊技媒体が落下するのを防止できる。
【手続補正８】
【補正対象書類名】明細書
【補正対象項目名】００１４
【補正方法】変更
【補正の内容】
【００１４】
本発明の手段３の遊技機設置島は、請求項１、手段１、手段２のいずれかに記載の遊技機設置島であって、
前記受入部保持手段（内部支持脚８５０の係合部８５４とベースタンク８６１の案内部８６６、外部支持脚８４０の係合部８４３と取付ベース８３０の案内溝８３３）は、前記位置保持手段（移動規制部８８８のラック８８８ａと案内板８９７のラック８９７ａ）の保持部よりも少ない数の保持部で前記支持部に対して前記受入部を保持する
ことを特徴としている。
この特徴によれば、保持部の数により、第１受入部に対する第２受入部の保持力よりも支持部に対する受入部の保持力の方を小さくすることができる。
【手続補正９】
【補正対象書類名】明細書
【補正対象項目名】００１５
【補正方法】変更
【補正の内容】
【００１５】
本発明の手段４の遊技機設置島は、請求項１または手段１〜３のいずれかに記載の遊技機設置島であって、
前記受入部保持手段（内部支持脚８５０の係合部８５４とベースタンク８６１の案内部８６６、外部支持脚８４０の係合部８４３と取付ベース８３０の案内溝８３３）は、前記位置保持手段（移動規制部８８８のラック８８８ａと案内板８９７のラック８９７ａ）の保持部よりも軟質の素材からなる保持部で前記支持部に対して前記受入部を保持する
ことを特徴としている。
この特徴によれば、保持部の素材にて、第１受入部に対する第２受入部の保持力よりも支持部に対する受入部の保持力の方を小さくすることができる。
【手続補正１０】
【補正対象書類名】明細書
【補正対象項目名】００１６
【補正方法】変更
【補正の内容】
【００１６】
本発明の手段５の遊技機設置島は、請求項１または手段１〜４のいずれかに記載の遊技機設置島であって、
前記アウトタンクは、
前記受入部（８０１）の底面上に敷設される緩衝板（第２緩衝板５５０）と、
前記受入部の底面の周縁の少なくとも一部（前辺）に立設される壁部（前方壁部６１０）から内向きに突設され、該底面との間に前記緩衝板の端部（前端部）を差し込み可能な隙間（Ｌ２）を隔てて配置される突出部（突出片６３０ａ〜６３０ｄ）と、
前記突出部（突出片６３０ａ〜６３０ｄの下面６３０ｅ）から前記底面に向けて突設され、前記緩衝板を保持する保持部（係止突部６３２）と、
を備える
ことを特徴としている。
この特徴によれば、受入部の底面上に敷設された緩衝板の端部上方に突出部が配置されることで、遊技媒体の落下により生じる衝撃により緩衝板の端部が上下にバタついたり反り返りが生じたりすることが抑制されるとともに、突出部から下向きに突出する保持部により緩衝板の端部が保持されることにより底面上での位置ずれが防止される。すなわち、緩衝板は、端部以外の箇所が底面に対してフリーな状態で敷設されることで、落下した遊技媒体により生じる衝撃が受入部に伝達されにくくなるため、遊技機から排出される遊技媒体の飛散が防止される。